(57)【特許請求の範囲】
【請求項１】
触媒コンバータ付の内燃機関の触媒暖機制御を実行するとともに、該触媒暖機制御中に前記内燃機関の回転数に影響する運転パラメータを補正することによって前記内燃機関の回転数を目標回転数に収束させるようフィードバック制御する制御手段と、
手動操作入力に応じて前記内燃機関からの動力伝達経路を断接するよう前記内燃機関と共に車両に搭載されるクラッチの半クラッチ状態を検出する半クラッチ状態検出手段と、を備え、
前記運転パラメータが、前記内燃機関の点火時期および吸入空気量を含むとともに、
前記触媒暖機制御が、前記内燃機関の圧縮行程における筒内直接燃料噴射と前記内燃機関の点火時期の遅角補正とを含み、
前記制御手段が、前記運転パラメータを補正するための、前記内燃機関の回転数と前記目標回転数との偏差に応じた比例補正量と、前記偏差の一定期間毎の積分値に応じた積分補正量とを演算して、該比例補正量および積分補正量分だけ前記内燃機関の点火時期を補正するとともに、該積分補正量分だけ前記内燃機関の吸入空気量を補正し、
前記触媒暖機制御中に前記偏差が増大傾向となる有意の機関回転数の低下が生じた場合であって前記半クラッチ状態検出手段により前記クラッチが半クラッチ状態であることが検出されたときには、該検出直前の積分補正量を限界値として該検出後の積分補正量を前記限界値以下に保持することにより、前記検出直前の積分補正量からの積分補正量の増加を規制することを特徴とする車両用内燃機関の制御装置。
【請求項２】
前記触媒暖機制御が、前記内燃機関に装着されたアイドル回転数制御バルブの開度を前記内燃機関の吸入空気量の増大側に制御することを含むことを特徴とする請求項１に記載の車両用内燃機関の制御装置。
【請求項３】
前記半クラッチ状態検出手段がクラッチペダル操作に応じてオン・オフするクラッチスイッチを前記動力伝達経路の切断側と接続側のそれぞれに有することを特徴とする請求項１または請求項２に記載の車両用内燃機関の制御装置。
【請求項４】
前記触媒暖機制御中に、前記内燃機関によって、前記圧縮行程中の燃料噴射と、前記内燃機関の吸気行程中の燃料噴射とが実行されるようにしたことを特徴とする請求項１ないし請求項３のいずれか１の請求項に記載の車両用内燃機関の制御装置。
【発明の詳細な説明】
【技術分野】
【０００１】
本発明は、車両用内燃機関の制御装置、詳しくは、排気浄化用の触媒コンバータの急速暖機制御実行時に点火時期や吸入空気量等の運転パラメータを補正して機関回転数を目標値に収束させる制御を実行する車両用内燃機関の制御装置に関する。
【背景技術】
【０００２】
自動車等に搭載される内燃機関においては、近年の燃費や排気浄化性能に対する要求の高度化に対して、燃費を抑えるべくアイドリング時の機関回転数（アイドル回転数）を極力低い回転数とする制御や、活性化温度領域で良好な排気浄化性能を発揮する触媒コンバータを始動時に急速に昇温させる制御が採用されている。
【０００３】
そのような制御を実行する車両用内燃機関の制御装置では、通常、ストールを起こすことなくアイドリング可能な低い回転数として目標アイドル回転数を予め設定し、アイドル回転数をその目標アイドル回転数に維持するようにアイドリング時の吸入空気量をフィードバック制御する、いわゆるアイドルスピードコントロール（以下、ＩＳＣ制御という）が実行される場合があり、内燃機関の燃焼と排気性状に大きく影響する点火時期を冷間始動時に遅角側に制御することで冷間始動時の排気温度を上昇させ、触媒コンバータを早期に昇温させる場合がある。
【０００４】
ＩＳＣ制御を実行する従来の車両用内燃機関の制御装置としては、例えば通常のアイドリング時は目標アイドル回転数と現在の回転数との偏差に応じた比例補正量Ｐと積分補正量Ｉを特定する比例積分制御信号を生成して、この制御信号により、絞り弁をバイパスする補助空気弁の開度を制御することで、機関回転数を目標値にフィードバック制御するものがあり、半クラッチ操作時にはアイドル回転の低下に対して積分補正量Ｉの更新を停止するとともに比例補正量Ｐを通常より増加させるようにしたものが知られている（例えば、特許文献１参照）。
【０００５】
点火時期制御を実行する従来の車両用内燃機関の制御装置としては、例えば機関回転数が目標回転数以上の場合は点火時期を遅角させ、機関回転数が目標回転数を下回る場合は点火時期を通常点火時期側に進角させることで、標準燃料のみならず重質燃料を使用するときでも燃焼状態を安定化させるようにしたもの（例えば、特許文献２参照）、あるいは、始動過程での吹き上がり回転を抑えて機関回転数を目標アイドル回転数に収束させるべく、点火時期のフィードバック制御を実行し、その制御によっても機関回転数が目標アイドル回転数を超える場合に、点火時期のフィードバック制御に代えて、機関回転数を目標アイドル回転数に収束させるべく吸気量のフィードバック制御を実行するようにしたものも知られている（例えば、特許文献３参照）。
【０００６】
さらに、変速時の機関回転数制御のために半クラッチ操作の有無を検知するスイッチを設けたもの（例えば、特許文献４参照）、変速時のトルク低減期間に点火時期を遅角させるもの（例えば、特許文献５参照）等も知られている。
【特許文献１】特開平０５−３１２０７６号公報
【特許文献２】特開平１０−０４７０３９号公報
【特許文献３】特開２００３−２５４１４１号公報
【特許文献４】特開２００６−２３３８５１号公報
【特許文献５】特開２００６−１６９９６６号公報
【発明の開示】
【発明が解決しようとする課題】
【０００７】
しかしながら、上述のような従来の車両用内燃機関の制御装置にあっては、点火時期の遅角側への補正と共に圧縮行程での燃料噴射を実行して、いわゆる後燃えを促進する弱成層の燃焼を得ようとするような場合、触媒コンバータの急速暖機制御中において点火プラグ周りに燃料が来ているときに点火しなければならないため、点火時期の感度が高くなってしまい、燃焼状態が悪化し易かった。
【０００８】
すなわち、冷間の触媒急速暖機制御時に、超希薄な成層ではなくある程度の燃料噴射量で圧縮行程後期に燃料噴射（吸気行程でも噴射）し、点火プラグ周りを着火し易い燃料濃度として後燃えを促進する場合には、点火時期を補正すると、エンジン発生トルクの変動や失火率の変化あるいは燃焼状態の変化が顕著に現われ、燃焼状態が悪化し易かった。
【０００９】
また、ＩＳＣバルブの開度補正による機関回転数のフィードバック制御の場合でも、通常、吸入空気量の増加に対して空燃比（Ａ／Ｆ）を維持するように燃料が増加されることから、フィードバック制御が発散傾向になると、点火プラグ周りで燃料濃度が高いリッチ状態となり、燃焼状態が悪化し易かった。
【００１０】
特に、内燃機関が筒内噴射（筒内直接噴射）を行う直噴エンジン、あるいは、筒内噴射とポート噴射を行うデュアル噴射エンジンであって、手動変速装置（マニュアルトランスミッション）と共に車両に搭載される場合、半クラッチ操作によってエンジン負荷が増大し触媒コンバータの急速暖機制御中にアイドル回転数が低下してしまうと、点火時期や吸入空気量によるアイドル回転数のフィードバック制御が実行されてもアイドル回転数を目標アイドル回転数に回復させることができない発散状態となり、点火時期の過補正や点火プラグ周りの燃料濃度が着火に適さない程度までリッチ状態となることで燃焼状態が悪化し易かった。したがって、触媒急速暖機制御中の点火時期補正や吸入空気量の補正による回転数フィードバック制御が容易でないという問題があった。
【００１１】
本発明は、上述のような従来技術の未解決の課題に鑑みてなされたもので、機関回転数に影響する運転パラメータの補正が機関回転数のフィードバック制御を発散させることがなく、確実かつ容易に回転数フィードバック制御を実行することのできる車両用内燃機関の制御装置を提供することを目的とする。
【課題を解決するための手段】
【００１２】
本発明に係る車両用内燃機関の制御装置は、上記目的達成のため、（１）触媒コンバータ付の内燃機関の触媒暖機制御を実行するとともに、該触媒暖機制御中に前記内燃機関の回転数に影響する運転パラメータを補正することによって前記内燃機関の回転数を目標回転数に収束させるようフィードバック制御する制御手段と、手動操作入力に応じて前記内燃機関からの動力伝達経路を断接するよう前記内燃機関と共に車両に搭載されるクラッチの半クラッチ状態を検出する半クラッチ状態検出手段と、を備え、前記運転パラメータが、前記内燃機関の点火時期および吸入空気量を含むとともに、前記触媒暖機制御が、前記内燃機関の圧縮行程における筒内直接燃料噴射と前記内燃機関の点火時期の遅角補正とを含み、前記制御手段が、前記運転パラメータを補正するための、前記内燃機関の回転数と前記目標回転数との偏差に応じた比例補正量と、前記偏差の一定期間毎の積分値に応じた積分補正量とを演算して、該比例補正量および積分補正量分だけ前記内燃機関の点火時期を補正するとともに、該積分補正量分だけ前記内燃機関の吸入空気量を補正し、前記触媒暖機制御中に前記偏差が増大傾向となる有意の機関回転数の低下が生じた場合であって前記半クラッチ状態検出手段により前記クラッチが半クラッチ状態であることが検出されたときには、該検出直前の積分補正量を限界値として該検出後の積分補正量を前記限界値以下に保持することにより、前記検出直前の積分補正量からの積分補正量の増加を規制することを特徴とする。
【００１３】
この構成により、本発明では、触媒暖機制御中の半クラッチ操作により機関回転数が低下し、回転数フィードバック制御における偏差が小さくならない有意の回転数低下状況になったときには、それ以降の積分補正による運転パラメータの不必要な補正が規制される。したがって、フィードバック制御を発散させることなく確実かつ容易に回転数フィードバック制御を実行することができる。また、弱成層燃焼となり、触媒急速暖機のための排気昇温を可能にしつつ、均質燃焼に比べて燃費を向上させることができる。ここで、点火時期の補正範囲が比較的狭い範囲になるが、点火時期の積分補正量の過補正を抑制し、的確な触媒暖機制御を実行することができる。
【００１５】
本発明では、さらに、点火時期の遅角制御による触媒暖機制御がなされる場合であって回転数フィードバック制御における偏差が小さくならないときに、点火時期の積分補正量の過補正を抑制し、比例補正量により所要の応答性を確保することができる。
【００１７】
加えて、吸入空気量の増量（ＩＳＣ開）による触媒暖機制御がなされる場合であって回転数フィードバック制御における偏差が小さくならないときに、吸入空気量の積分補正量の過補正を抑制することができ、回転数フィードバック制御における偏差が小さくならない場合に大きな出力増大を要求する要求操作がなされたときには、それに対する所要の応答性を確保することができる。
【００２２】
本発明の車両用内燃機関の制御装置においては、（２）前記触媒暖機制御が、前記内燃機関に装着されたアイドル回転数制御バルブの開度を吸気量の増大側に制御することを含むのがよい。
【００２３】
アイドル回転数制御バルブの開度が吸気量増大側に制御されるとともに、空燃比を適正化するよう燃料噴射量が若干増量されることから、燃料がきわめて希薄な成層燃焼に比べて触媒急速暖機のための排気昇温が可能になる。この場合も、偏差が増加する発散状態で半クラッチ操作状態からクラッチが切れた状態に移行したとしても、機関回転数の吹き上がりが確実に抑えられる。
【００２４】
上記（１）、（２）のいずれに記載の車両用内燃機関の制御装置においても、（３）前記半クラッチ状態検出手段がクラッチペダル操作に応じてオン・オフするクラッチスイッチを前記動力伝達経路の切断側と接続側のそれぞれに有するのが望ましい。
【００２５】
この構成により、クラッチスイッチを利用して半クラッチ操作を確実に検出することができる。
【００２６】
また、上記（１）〜（３）のいずれに記載の車両用内燃機関の制御装置においても、（４）前記触媒暖機制御中に、前記内燃機関によって、前記圧縮行程中の燃料噴射と、前記内燃機関の吸気行程中の燃料噴射とが実行されるようにしているのが好ましい。
【００２７】
この構成により、内燃機関内の後燃えが促進される。
【００２８】
なお、前記半クラッチ状態検出手段は、検出精度はクラッチスイッチほど期待できないが、内燃機関に作用する負荷の大きさによって半クラッチ状態を検出するものとすることもできる。
【発明の効果】
【００２９】
本発明によれば、触媒暖機制御中に半クラッチ操作がなされて機関回転数が低下し、回転数フィードバック制御における偏差が減少しない発散状態になっても、積分補正による運転パラメータの不必要な補正をなくすようにしているので、偏差が増加する発散状態で半クラッチ操作状態からクラッチが切れた状態に移行したとしても、機関回転数の吹き上がりを確実に抑えることができ、機関回転数に影響する運転パラメータの補正が機関回転数のフィードバック制御を発散させることがなく、確実かつ容易に回転数フィードバック制御を実行することのできる車両用内燃機関の制御装置を提供することができる。
【発明を実施するための最良の形態】
【００３０】
以下、本発明の好ましい実施の形態について図面に基づいて説明する。
【００３１】
（第１の実施の形態）
図１から図３は本発明の第１の実施形態に係る車両用内燃機関の制御装置を示す図であり、図１は第１の実施形態の内燃機関の要部断面を含むブロック構成図、図２は第１の実施形態の内燃機関、変速装置およびクラッチ操作系を含む概略全体構成図である。
【００３２】
まず、その構成について説明する。
図１に示すように、本実施形態の車両用内燃機関の制御装置は、自動車に搭載される多気筒エンジン（多気筒の内燃機関）、例えば４気筒の４サイクルガソリンエンジン（図１中には１気筒のみ図示、以下単にエンジンという）１に装備されるもので、そのエンジン１の各気筒１ａにはピストン２で仕切られた燃焼室３が形成され、吸気弁４と排気弁５が図示しない動弁機構により開閉駆動可能に装備されるとともに、燃焼室３内に露出するよう点火プラグ６が配置されている。また、吸気管７内には電子制御式スロットルバルブユニット８が設けられており、このスロットルバルブユニット８より燃焼室３側には吸気管７と一体に吸気通路を形成するとともに所定の容積を有するサージタンク９が設けられている。
【００３３】
ここで、電子制御式スロットルバルブユニット８は、アクセル開度に応じて開閉するスロットルバルブ８ａおよびこれをバイパスする補助空気通路を開閉するＩＳＣバルブ８ｂの機能を併有するもので、エンジン１の運転状態やドライバからの何らかの要求操作入力に応じて従来のスロットルバルブ８ａおよびアイドル制御バルブ（以下、ＩＳＣバルブという）８ｂにそれぞれ要求される開度が設定されたときの総合した吸入空気量に相当する吸入空気量が達成されるように、電子制御式スロットルバルブユニット８の開度がきめ細かに電子制御されるようになっている。
【００３４】
エンジン１の複数の気筒１ａにはそれぞれ筒内噴射用のインジェクタ１１（燃料噴射弁）が設けられており、これらのインジェクタ１１は複数の気筒１ａに燃料を供給するデリバリパイプ１２に接続されている。このデリバリパイプ１２には、車両に搭載された燃料タンク１５から燃料ポンプ１６により汲み出された燃料（例えばガソリン）が、燃料通路Ｌを通して供給されるようになっている。なお、エンジン１は、筒内直接噴射してその噴射時期及び噴射量を電子制御するものあれば、筒内噴射型のエンジンでも、ポート噴射と筒内噴射を組み合わせて実行するデュアル噴射式のエンジンでもよい。また、ガソリンのみならず、エタノールやガス燃料（ＬＰＧまたはＬＮＧ）等のように異なる燃料を用いるエンジンであってもよい。エンジン１の排気管１８には排気浄化用の触媒コンバータ１９（例えば３元触媒を内蔵する触媒装置）が装着されている。
【００３５】
インジェクタ１１および点火プラグ６は、それぞれ対応する燃焼室３の近傍に配置されており、これらインジェクタ１１および点火プラグ６の作動は、エンジン１を電子制御するエンジンＥＣＵ３０（エンジン制御ユニット；制御手段）からの燃料噴射信号Ｐａ及び点火時期制御信号Ｐｂによってそれぞれ制御されるようになっている。
【００３６】
エンジンＥＣＵ３０は、詳細なハードウェア構成を図示しないが、例えばＣＰＵ（Central Processing Unit）３１、ＲＯＭ（Read Only Memory）３２、ＲＡＭ（Random Access Memory）３３、不揮発性メモリからなるバックアップ用メモリ（図１中ではＢ−ＲＡＭと記す）３４に加えて、Ａ／Ｄ変換器等を含む入力インターフェース回路３５及びドライバ回路を含む出力インターフェース回路３６等を含んで構成されている。なお、エンジンＥＣＵ３０にはキースイッチ３７のｏｎ／ｏｆｆ信号が取り込まれると共に、図示しないバッテリからの電源供給がなされる。
【００３７】
また、このエンジンＥＣＵ３０の入力インターフェース回路３５には、エアフローメータ４１、クランク角センサ４２（エンジン回転数センサ）、上側クラッチスイッチ４３、下側クラッチスイッチ４４および水温センサ４５と、図示しないスロットルセンサ、車速センサ、カムポジションセンサ（気筒判別センサ）、吸気温センサ、酸素センサ等のセンサ群が接続されており、これらセンサ群からのセンサ情報がエンジンＥＣＵ３０に取り込まれるようになっている。また、エンジンＥＣＵ３０の出力インターフェース回路３６には、インジェクタ１１の他に、図示しないディストリビュータを介して各点火プラグ６を駆動する図示しないイグナイタと、燃料ポンプ１６をｏｎ／ｏｆｆさせる図示しないリレースイッチ回路等が接続されている。
【００３８】
エンジンＥＣＵ３０のＣＰＵ３１は、主としてＲＯＭ３２に格納された制御プログラムに従って、ＲＡＭ３３およびＢ−ＲＡＭ３４との間でデータを授受しながら、入力インターフェース回路３５から取り込んだセンサ情報や予め設定された設定値情報、マップデータ等に基づいて所定の演算処理を実行し、その結果に応じて出力インターフェース回路３６からの制御信号出力を行うことで、エンジン１の電子制御を実行するとともに、通常運転時の制御に加え、後述する始動時の触媒急速暖機制御等を実行するようになっている。
【００３９】
また、エンジンＥＣＵ３０は、通常運転時には、例えばエアフローメータ４１及びクランク角センサ４２のセンサ情報から得られるエンジン１の１回転当りの吸入空気量に基づいて、予め設定された目標空燃比となる燃料噴射量に相当するインジェクタ１１の基本燃料噴射時間を演算し、この基本燃料噴射時間に最適空燃比となるよう各センサ信号に基づく補正処理を加え、適正な燃料噴射量で噴射時期として設定されたクランク角に達する時点でインジェクタ１１からの燃料噴射を実行するために、複数の制御値を算出する。また、エンジンＥＣＵ３０は、エンジン１の運転状態に応じて、適正な点火時期やスロットル開度の制御等を実行するための複数の制御値をそれぞれ算出する。そして、エンジンＥＣＵ３０の出力インターフェース回路３６からインジェクタ１１を駆動し、エンジン１内での燃料噴射量を目標噴射量に制御するための燃料噴射信号Ｐａや、イグナイタを介して所定の点火時期に点火プラグ６を点火させる点火時期制御信号Ｐｂ、あるいは燃料ポンプ１６をｏｎ／ｏｆｆさせる前記リレースイッチの切替信号等をそれぞれ出力する。
【００４０】
本実施形態では、燃料噴射は、吸気行程中の筒内噴射と、圧縮行程中の筒内噴射とが実行される２回噴射であり、触媒急速暖機制御中における吸気行程中の噴射量と圧縮行程中の燃料噴射量との比は例えば８：２、触媒急速暖機制御後における吸気行程中の噴射量と圧縮行程中の燃料噴射量との比は例えば５：５である。
【００４１】
ここにいう触媒急速暖機制御は、ある程度の燃料噴射量で吸気行程に加えて圧縮行程後期にも燃料噴射を実行し、点火プラグ６の周りを着火し易い燃料濃度として後燃えを促進するものであり、例えば点火プラグ６の周りを着火し易い燃料濃度とするがその周辺では燃料濃度が薄い、いわゆる弱成層の燃焼状態で、点火時期の大幅な遅角補正がなされる。また、スロットルバルブ８ａは絞られるがＩＳＣバルブ８ｂの開度が大きくなるように、バルブ開度補正がなされて吸入空気量が増加されるとともに、その吸入空気量の増加に対して空燃比（Ａ／Ｆ）を維持するように燃料がある程度増加され、上述の弱成層の燃焼状態となる。
【００４２】
一方、図２に示すように、本実施形態では、エンジン１に、エンジン１から出力される動力の伝達経路を断接するクラッチ５０と、このクラッチ５０を介してエンジン１からの動力が選択的に伝達される手動式の変速装置６０とが装着されており、これらエンジン１、クラッチ５０および変速装置６０からなるパワーユニットが図示しない車両に搭載されている。
【００４３】
ここで、クラッチ５０は、手動操作入力、例えばクラッチペダル５１の踏込みに応じてエンジン１と変速装置６０の入力軸（図示せず）の間の動力伝達経路を切断し、クラッチペダル５１がその初期の位置に復帰した状態ではその動力伝達経路を接続する公知のものである。また、手動式の変速装置６０は、クラッチペダル５１の踏込みによりエンジン１と変速装置６０の間の動力伝達経路を切断した状態で、シフトレバー６１を手動選択操作することにより、内部の変速ギヤ段を切り換えることができる公知のものである。
【００４４】
また、エンジンＥＣＵ３０は、図１および図２に示すように、機能的には、冷間始動時の触媒急速暖機制御実行中か否かをその制御実行フラグ等から判定する触媒急速暖機判定手段７１と、触媒急速暖機中および触媒急速暖機後のそれぞれについて予め設定された目標アイドル回転数を記憶保持するとともに、エンジン１の運転状態に応じてエンジン１のアイドリング時に目標アイドル回転数を設定する目標アイドル回転数設定手段７２と、エンジン回転数ｎｅ（ｒｐｍ）を検出するとともにそのエンジン回転数ｎｅと目標アイドル回転数との偏差ｅを算出する回転偏差算出手段７３と、触媒急速暖機制御時に回転偏差算出手段７３からの偏差ｅに応じてエンジン１の回転数ｎｅに影響する運転パラメータ、例えば点火時期（点火時期および吸入空気量のうち少なくとも一方であればよい）を補正する補正量を算出する触媒急速暖機時補正量算出手段７４と、クラッチ５０の半クラッチ状態を検出するための半クラッチ状態検出手段７５とを備えている。すなわち、エンジンＥＣＵ３０は、エンジン１の運転パラメータを補正するための、エンジン回転数ｎｅと目標回転数（目標アイドル回転数）との偏差ｅに応じた比例補正量と、偏差ｅの一定期間（１回の点火から次点火までの期間）毎の積分値に応じた積分補正量とのうち少なくとも一方の補正量を演算して、その少なくとも一方の補正量分だけ運転パラメータを補正するようになっている。
【００４５】
ここで、触媒急速暖機判定手段７１が参照する触媒急速暖機制御実行フラグは、例えば水温センサ４５で検出される冷却水温ｔｈｗに基づいて冷間始動時か否かを判定し、エアフローメータ４１で検出される吸入空気流量に基づいて冷間始動後の吸入空気量の積算値を算出して、その積算値が所定積算量に達していないことを１つの条件として有効（制御有りを示すフラグ値、例えば１）となる。そして、触媒急速暖機判定手段７１は、その制御フラグが有効か無効かの判別を実行するためのプログラムと作業メモリ領域を含んで構成されている。
【００４６】
目標アイドル回転数設定手段７２は、予めの運転試験等から得られた設定値のメモリ情報等を基に、公知の方法で、触媒急速暖機制御中の目標アイドル回転数と、触媒急速暖機制御後の目標アイドル回転数とを、それぞれ設定するものである。
【００４７】
回転偏差算出手段７３は、クランク角センサ４２からの所定クランク回転角度毎の回転信号に基づいてエンジン回転数ｎｅを算出するプログラムと、その算出値と目標アイドル回転数との偏差ｅを算出するプログラムと、それらの算出のための作業メモリ領域を含んで構成されている。
【００４８】
触媒急速暖機時補正量算出手段７４は、予めの運転試験等から得られたマップデータに基づいて、偏差ｅに対応するエンジン回転数ｎｅの収束方向の変化と、その変化を生じさせるための補正対象の運転パラメータ、例えば点火時期の変化量（点火時期および吸入空気量のうち少なくとも一方の変化量）について必要な操作量をフィードバック補正量（点火フィードバック補正量あるいはＩＳＣ開度フィードバック補正量のうち少なくとも一方の意）として算出するようになっており、その算出プログラムおよび作業メモリ領域と前記マップデータとで構成されている。
【００４９】
また、触媒急速暖機時補正量算出手段７４は、点火フィードバック補正量を、検出されるエンジン回転数ｎｅと目標アイドル回転数との偏差ｅに応じた比例項Ｐの補正量（以下、比例補正量という）［°ＣＡ（ＣＡはクランク回転角度）］と、検出されるエンジン回転数ｎｅと目標アイドル回転数との偏差ｅに応じた補正量相当値を点火毎に積算した積分項Ｉの補正量（以下、積分補正量という）［°ＣＡ］との和として算出するようになっている。
【００５０】
具体的には、触媒急速暖機時補正量算出手段７４は、触媒急速暖機制御中に、検出されるエンジン回転数ｎｅと目標アイドル回転数との偏差ｅが有意のエンジン負荷による低下回転数、例えば−２００ｒｐｍ程度に達するまでは、比例項Ｐの補正量、積分項Ｉの補正量共に算出せず、予め設定された初期値を維持する。そして、偏差ｅがその低下回転数に達すると、そのときの偏差ｅに応じた比例補正量と積分補正量との和として運転パラメータの補正量を算出し、点火時期／吸入空気量制御手段７８に出力するようになっている。
【００５１】
点火時期／吸入空気量制御手段７８は、エンジン１の運転状態に応じた目標点火時期、あるいは更に目標吸入空気量を、点火時期マップ等のデータで記憶する目標点火時期／吸入空気量設定手段７９の記憶情報に基づいて設定するとともに、その設定値を触媒急速暖機時補正量算出手段７４で算出された補正量に応じて変更するようになっている。なお、点火時期／吸入空気量制御手段７８および目標点火時期／吸入空気量設定手段７９は公知のものと同様であり、運転パラメータ、例えば点火時期による回転数フィードバック（以下、点火時期フィードバックという）が点火時期／吸入空気量制御手段７８により実行される際には、点火時期は、触媒急速暖機時補正なしの場合の点火時期（例えば、上死点前１６°）に比べ、偏差ｅに応じて算出されるフィードバック補正量ｋｆｂだけ遅角側（上死点側）にずれるように補正される。これにより、点火時期／吸入空気量制御手段７８は、回転偏差算出手段７３および触媒急速暖機時補正量算出手段７４と協働してエンジン１の回転数ｎｅを触媒急速暖機中の目標アイドル回転数に収束させるよう回転数フィードバック制御を実行するようになっている。
【００５２】
さらに、触媒急速暖機時補正量算出手段７４は、触媒急速暖機制御中に半クラッチ状態検出手段７５によってクラッチ５０の半クラッチ状態であることが検出されたときには、積分補正量の演算を無効化し、半クラッチ状態検出の直前の積分補正量を一定に保持することで、それ以降の積分補正量の増加を防止するようになっている。
【００５３】
半クラッチ状態検出手段７５は、クラッチペダル５１が復帰位置(非操作時の位置)からの踏込み操作されたときにＯＮとなる上側クラッチスイッチ４３と、クラッチペダル５１が復帰位置から動力伝達経路の切断に十分な特定の踏込み位置まで踏込み操作されたときにＯＮとなる下側クラッチスイッチ４４とを含んで構成され、上側クラッチスイッチ４３がＯＮとなり、かつ、下側クラッチスイッチ４４がＯＦＦとなるときに半クラッチ状態であると判定して、半クラッチ状態を検出するようになっている。
【００５４】
なお、クラッチスイッチ４３、４４によりクラッチペダル５１が復帰位置から若干踏み込まれてもその半クラッチ状態が検出され、半クラッチ状態検出直前の積分補正量が大きくなることはないので、半クラッチ状態検出の直前の積分補正量を一定に保持するのが好ましいが、点火時期補正量が例えばプラス５度に進角補正された状態で半クラッチ状態となり、時間の経過に伴ってその進角量が減少していくような運転状態、あるいは、燃料が重質でエンジン１の暖機進行により燃料のリーン度合いが軽減されていく状態といったような場合に、触媒急速暖機時補正量算出手段７４は、半クラッチ状態検出の直前の積分補正量を回転数が急に変化しない程度に漸減させるようにすることもできる。もっとも、そのような特定の運転状態を検出する手段を設ける必要がある。
【００５５】
一方、エンジンＥＣＵ３０は、エンジン１の暖機が完了したか否かを判定するアイドル判定手段７６と、触媒急速暖機の完了後に回転偏差算出手段７３からの偏差ｅに応じてエンジン１の回転数ｎｅに影響する運転パラメータ、例えば点火時期（点火時期および吸入空気量のうち少なくとも一方であればよい）を補正することにより、回転偏差算出手段７３と協働してエンジン１の回転数ｎｅを触媒急速暖機後の目標アイドル回転数に収束させるよう回転数フィードバック制御を実行する触媒急速暖機後補正量算出手段７７とを備えている。
【００５６】
アイドル判定手段７６は、例えばエンジン１の冷却水温ｔｈｗに基づいてエンジン１の暖機が完了したか否かを判定するようになっている。
【００５７】
触媒急速暖機後補正量算出手段７７は、触媒急速暖機判定手段７１により触媒急速暖機中と判定されないときであってアイドル判定手段７６によってアイドル判定がなされたときに、予めの運転試験等から得られたマップデータに基づいて、偏差ｅに対応するエンジン回転数ｎｅの収束方向の変化と、その変化を生じさせるための補正対象の運転パラメータ、例えば点火時期あるいは吸入空気量等についての必要な操作量をフィードバック補正量（触媒急速暖機時の補正量よりも十分に広レンジで補正される）を算出するようになっており、その算出プログラムおよび作業メモリ領域と前記マップデータとで構成されている。
【００５８】
このようなエンジンＥＣＵ３０（車両用内燃機関の制御装置）は、手動変速可能なクラッチ５０付の変速装置６０と共に車両に搭載される触媒コンバータ１９付のエンジン１の触媒急速暖機制御を実行するとともに、その触媒急速暖機制御中にエンジン回転数ｎｅに影響する運転パラメータ、例えば点火時期および吸入空気量のうち少なくとも一方を補正することによってエンジン回転数ｎｅを目標回転数に収束させるようフィードバック制御することができ、クラッチ５０が半クラッチ状態であることを半クラッチ状態検出手段７５により検出することができる。そして、このエンジンＥＣＵ３０が、運転パラメータを補正するための、エンジン回転数ｎｅと目標回転数との偏差ｅに応じた比例補正量と、偏差ｅの一定期間毎の積分値に応じた積分補正量とのうち少なくとも一方の補正量を演算して、その少なくとも一方の補正量分だけ前記運転パラメータを補正するとともに、半クラッチ状態検出手段７５によりクラッチ５０が半クラッチ状態であることが検出されたときには、積分補正量の演算を停止して、積分補正量を予め設定された制限値に保持することで、積分補正量の増加を規制することができる。
【００５９】
次に、動作について説明する。
【００６０】
上述のように構成された本実施形態では、水温センサ４５で検出される冷却水温ｔｈｗに基づいて冷間始動か否かが判定され、エンジン１の冷間始動の場合には、エアフローメータ４１で検出される吸入空気流量に基づいて冷間始動後の吸入空気量の積算値が算出され、その積算値が所定積算量に達していないことを１つの条件として触媒急速暖機制御の制御実行フラグが有効になると、触媒急速暖機制御が実行される。
【００６１】
すなわち、ＩＳＣバルブ８ｂの開度の増大補正下で、ある程度の燃料噴射量とされ、吸気行程に加えて圧縮行程後期にも燃料噴射が実行されることで、点火プラグ６の周りが着火し易い燃料濃度とされ、点火時期の大幅な遅角補正がなされて、後燃えを促進するような弱成層の燃焼状態が生じ、排気の昇温による触媒コンバータ１９の急速な暖機がなされる。
【００６２】
このような触媒急速暖機制御時には、ピストン２により燃焼室３内の燃料が点火プラグの近傍に制限されているときに点火される必要があるから、半クラッチ操作等による回転数の低下に対して点火時期が過補正となると、それが燃焼状態に大きく影響する。また、回転数フィードバック制御が少しでも発散傾向になると、点火プラグ周りで燃料濃度が高いリッチ状態となり、燃焼状態が悪化してしまう。
【００６３】
これに対し、本実施形態では、触媒急速暖機制御中に半クラッチ操作がなされてエンジン回転数ｎｅが低下し、回転数フィードバック制御における偏差ｅが小さくならずに増加してしまう発散状態に陥ったとしても、積分補正による運転パラメータの不必要な補正がなされないことから、偏差ｅが増加する発散状態で半クラッチ操作状態からクラッチ５０が切れた状態に移行したとしても、エンジン回転数ｎｅの吹き上がりが確実に抑えられることになる。
【００６４】
また、発散状態を抑制するように積分補正量Ｉの増加が防止されるものの、回転数フィードバック制御を発散させない程度の補正量は確保されるので、回転数フィードバック制御における偏差ｅが小さくならない状態のまま出力増大を要求する要求操作がなされたときには、それに対する所要の応答性を確保することができる。
【００６５】
さらに、弱成層燃焼により、触媒急速暖機のための排気昇温を可能にしながらも、点火時期の遅角補正範囲を確保し、かつ、均質燃焼に比べて燃費を向上させることができる。
【００６６】
また、上側クラッチスイッチ４３および下側クラッチスイッチ４４を利用して半クラッチ操作を確実に検出することができる。
【００６７】
図３は、本実施形態における触媒急速暖機時の運転パラメータの補正を実行する制御プログラムのフローチャートである。
【００６８】
同図において、まず、触媒急速暖機制御中か否かがその制御実行フラグから判別され（ステップＳ１１）、触媒急速暖機制御中であると判別されると、次ステップの処理が実行される。
【００６９】
次ステップでは、エンジン回転数ｎｅが目標回転数（目標アイドル回転数）から有意の低下回転数、例えば２００ｒｍｐを差し引いた回転数を下回るか否かが判別される（ステップＳ１２）。すなわち、触媒急速暖機制御中に、検出されるエンジン回転数ｎｅと目標アイドル回転数との偏差ｅがフリクションの増大や重質燃料等による燃焼悪化等とは区別し得る有意の増加（エンジン回転数ｎｅの低下）を示しているか否かが判別される。
【００７０】
ステップＳ１２での判別の結果がｙｅｓの場合、次いで、クラッチ５０が半クラッチ状態になっているか否かが、クラッチペダル５１が踏込み操作されたときにＯＮとなる上側クラッチスイッチ４３がＯＮとなり、かつ、クラッチペダル５１が復帰位置から動力伝達経路の切断に十分な特定の踏込み位置まで踏込み操作されたときにＯＮとなる下側クラッチスイッチ４４がＯＦＦとなっているか否かで判定される（ステップＳ１３）。
【００７１】
ステップＳ１３での判別の結果がｎｏの場合、すなわち半クラッチ状態でなければ、次いで、偏差ｅに応じた比例補正量Ｐが偏差ｅと予め設定された比例補正係数ｋｐとの積として算出されるとともに、積分補正量Ｉが前回の積分補正量（Ｉ）に偏差ｅと積分補正係数ｋｉ（比例補正係数ｋｐよりも十分小さい）との積を加算して算出され、これら比例補正量Ｐおよび積分補正量Ｉの和として運転パラメータの補正量が算出される（ステップＳ１４）。
【００７２】
一方、ステップＳ１３での判別の結果、半クラッチ状態であれば（ステップＳ１３でｙｅｓの場合）、次いで、偏差ｅに応じた比例補正量Ｐが偏差ｅと予め設定された比例補正係数ｋｐとの積として算出されるが、積分補正量Ｉの更新値の計算はなされず、前回の積分補正量（Ｉ）の値が保持される（ステップＳ１５）。
【００７３】
なお、ステップＳ１２での判別結果がｎｏの場合、すなわち、触媒急速暖機制御中であって有意のエンジン負荷によるエンジン回転数ｎｅの低下が進んでいる状態にないときにも、比例項Ｐの補正量、積分項Ｉの補正量共に算出されず、現在の補正量が保持されることになる。
【００７４】
このように、本実施形態では、触媒急速暖機制御中にクラッチペダル５１による運転者からの半クラッチ操作がなされてエンジン回転数ｎｅが低下し、回転数フィードバック制御における偏差ｅが減少しない状態に陥ったとしても、積分補正による点火時期（運転パラメータ）の不必要な補正をなくすようにしているので、偏差が増加する発散状態で半クラッチ操作状態からクラッチが切れた状態に移行したとしても、エンジン回転数ｎｅの吹き上がりを確実に抑えることができ、エンジン回転数ｎｅに影響する点火時期の補正がエンジン回転数ｎｅのフィードバック制御を発散させることがなく、確実かつ容易に回転数フィードバック制御を実行することのできる車両用内燃機関の制御装置を提供することができる。また、積分補正の規制の要否を目標回転数からの有意の回転数低下（例えば２００ｒｐｍ）で判定しているので、処理が簡単で、しかも、必要時には回転数フィードバックの発散を確実に防止することができる。
【００７５】
（第２の実施の形態）
図４は、本発明の第２の実施形態に係る車両用内燃機関の制御装置を示すブロック構成図であり、本発明をデュアル噴射式エンジンに適用した場合を示している。
【００７６】
なお、以下に説明する各実施形態の車両用内燃機関の制御装置は、上述の第１の実施の形態と類似する構成を有しているので、上述の第１の実施の形態と同一またはそれに相当する構成については図１、図２中のそれらの符号を用い、相違点についてのみ詳述する。
【００７７】
第２の実施の形態の車両用内燃機関の制御装置は、その多気筒エンジン（多気筒の内燃機関）１０１がデュアル噴射式である点において、第１の実施の形態とは相違する。
【００７８】
本実施形態においては、エンジン１０１の複数の気筒１ａに対し、それぞれ筒内噴射用のインジェクタ１１とは別に、ポート噴射用のインジェクタ９１（燃料噴射弁）が設けられている。また、複数の気筒１ａに対応する複数のインジェクタ９１はデリバリパイプ１０２にそれぞれ接続しており、このデリバリパイプ１０２には燃料ポンプ９２から吐出されプレッシャレギュレータ９３によりポート噴射用の燃圧に調整された後の燃料が高圧燃料ポンプ９６および逆止弁９７により高圧で供給される。さらに、高圧燃料ポンプ９６から吐出され溢流（いつりゅう）となる燃料の一部が、電磁スピル弁９８を通し高圧燃料ポンプ９６の吸入側に戻るようになっている。
【００７９】
このエンジン１０１では、インジェクタ９１によるポート噴射（吸気通路噴射）とインジェクタ１１による筒内噴射とを組み合わせて、例えば吸気行程においてインジェクタ９１によるポート噴射がなされ、圧縮行程後期にインジェクタ１１による筒内噴射がなされる。
【００８０】
この場合、触媒急速暖機時には、各気筒１ａ内での燃焼は、ポート噴射用インジェクタ９１を吸気行程で燃料噴射して燃焼室３内全体にリーンで均質な混合気を生成するのに加えて、筒内噴射用インジェクタ１１を圧縮行程で燃料噴射して、点火プラグ６周りに着火に適したある程度リッチな混合気を生成する弱成層燃焼となるようにしている。また、高温の燃焼ガスを触媒に到達させるために点火時期を遅角させ、かつ良好な燃焼状態を維持するためにある程度の燃料量で燃料が供給されるようになっている。
【００８１】
本実施形態においても、エンジン１０１の冷間始動時に、水温センサ４５で検出される冷却水温ｔｈｗに基づいて冷間始動時か否かが判定され、エアフローメータ４１で検出される吸入空気流量に基づいて冷間始動後の吸入空気量の積算値が算出され、その積算値が所定積算量に達していないことを１つの条件として触媒急速暖機制御の制御実行フラグが有効となると、触媒急速暖機制御が実行される。そして、ＩＳＣバルブ８ｂの開度の増大補正下である程度の燃料噴射量とされ、吸気行程のポート噴射に加えて圧縮行程後期の筒内噴射が実行されることで、点火プラグ６の周りが着火し易い燃料濃度とされ、点火時期の大幅な遅角補正がなされて、後燃えを促進するような弱成層の燃焼状態が生じ、排気の昇温による触媒コンバータ１９の急速な暖機がなされる。
【００８２】
また、本実施形態でも、上述の第１の実施の形態と同様に、触媒急速暖機制御中に半クラッチ操作がなされてエンジン回転数ｎｅが低下し、回転数フィードバック制御における偏差ｅが小さくならずに増加してしまう発散状態に陥ったとしても、積分補正による運転パラメータの不必要な補正がなされないことから、偏差ｅが増加する発散状態で半クラッチ操作状態からクラッチ５０が切れた状態に移行したとしても、エンジン回転数ｎｅの吹き上がりが確実に抑えられることになる。
【００８３】
また、発散状態を抑制するように積分補正量Ｉの増加が防止されるものの、回転数フィードバック制御を発散させない程度の補正量は確保されるので、回転数フィードバック制御における偏差ｅが小さくならない状態のまま出力増大を要求する要求操作がなされたときには、それに対する所要の応答性を確保することができる。
【００８４】
さらに、弱成層燃焼により、触媒急速暖機のための排気昇温を可能にしながらも、点火時期の遅角補正範囲を確保し、かつ、均質燃焼に比べて燃費を向上させることができる。
【００８５】
なお、上述の各実施形態においては、内燃機関の回転数に影響する運転パラメータとして点火時期を例示しているが、ＩＳＣバルブ８ｂを介した補助空気量の増・減補正（それに伴う燃料の増減）によって触媒急速暖機制御を実行するものであってもよい。
【００８６】
（第３の実施の形態）
図５は、本発明の第３の実施形態に係る車両用内燃機関の制御装置を示す図であり、その触媒急速暖機時の運転パラメータの補正を実行する制御プログラムのフローチャートである。
【００８７】
本実施形態の車両用内燃機関の制御装置は、上述の第１の実施の形態と類似する構成を有しているが、そのＥＣＵ３０が点火時期でなく触媒急速暖機時にＩＳＣバルブ８ｂを開度の増大に補正するようになっている。
【００８８】
図５において、まず、触媒急速暖機制御中か否かがその制御実行フラグから判別され（ステップＳ２１）、触媒急速暖機制御中であると判別されると、次ステップでは、エンジン回転数ｎｅが目標回転数（目標アイドル回転数）から有意の低下回転数２００ｒｍｐを差し引いた値の回転数を下回るか否かが判別される（ステップＳ２２）。
【００８９】
このステップＳ２２での判別の結果がｙｅｓの場合、次いで、クラッチ５０が半クラッチ状態になっているか否かが、上側クラッチスイッチ４３がＯＮとなり、かつ、下側クラッチスイッチ４４がＯＦＦとなっているか否かで判定される（ステップＳ２３）。
【００９０】
ステップＳ２３での判別の結果がｎｏの場合、すなわち半クラッチ状態でなければ、次いで、電子制御式スロットルバルブユニット８のＩＳＣ開度（ＩＳＣバルブ８ｂの開度に相当する）の拡大方向の積分補正量Ｉが前回の積分補正量（Ｉ）に偏差ｅと積分補正係数ｋｉとの積を加算して算出される（ステップＳ２４）。
【００９１】
一方、ステップＳ２３での判別の結果、半クラッチ状態であれば（ステップＳ２３でｙｅｓの場合）、積分補正量Ｉの更新値の計算はなされず、前回の積分補正量（Ｉ）の値が保持される（ステップＳ２５）。
【００９２】
ステップＳ２２での判別結果がｎｏの場合、すなわち、触媒急速暖機制御中であって有意のエンジン負荷によりエンジン回転数ｎｅの低下が進んでいる状態にないときにも、積分項Ｉの補正量共に算出されず、現在の補正量が保持されることになる。電子制御式スロットルバルブユニット８のバルブ応答性の面から、比例項Ｐの補正量は、算出せず、積分項Ｉの補正量のみとする。
【００９３】
このように、本実施形態では、触媒急速暖機制御中にクラッチペダル５１による運転者からの半クラッチ操作がなされてエンジン回転数ｎｅが低下し、回転数フィードバック制御における偏差ｅが減少しない状態に陥ったとしても、積分補正によるＩＳＣ開度（運転パラメータ）の不必要な拡大補正をなくすようにしているので、偏差が増加する発散状態で半クラッチ操作状態からクラッチが切れた状態に移行したとしても、エンジン回転数ｎｅの吹き上がりを確実に抑えることができ、エンジン回転数ｎｅに影響するＩＳＣ開度の補正がエンジン回転数ｎｅのフィードバック制御を発散させることがなく、確実かつ容易に車両用内燃機関の制御装置を提供することができる。
【００９４】
以上説明したように、本発明は、触媒暖機制御中に半クラッチ操作がなされて機関回転数が低下し、回転数フィードバック制御における偏差が減少しない状態になっても、積分補正による運転パラメータの不必要な補正をなくすようにしているので、偏差が増加する発散状態で半クラッチ操作状態からクラッチが切れた状態に移行したとしても、機関回転数の吹き上がりを確実に抑えることができ、機関回転数に影響する運転パラメータの補正が機関回転数のフィードバック制御を発散させることがなく、確実かつ容易に回転数フィードバック制御を実行することのできる車両用内燃機関の制御装置を提供することができるという効果を奏するものであり、車両用内燃機関の制御装置、特に排気浄化用の触媒コンバータの急速暖機制御時に点火時期や吸入空気量等の運転パラメータを補正して機関回転数を目標値に収束させるフィードバック制御を実行する車両用内燃機関の制御装置全般に有用である。
【図面の簡単な説明】
【００９５】
【図１】本発明の第１の実施形態に係る車両用内燃機関の制御装置を示す図で、第１の実施形態の内燃機関の要部断面を含むブロック構成図である。
【図２】第１の実施形態の内燃機関、変速装置およびクラッチ操作系を含む概略全体構成図である。
【図３】第１の実施形態における触媒急速暖機時の運転パラメータの補正を実行する制御プログラムのフローチャートである。
【図４】本発明の第２の実施形態に係る車両用内燃機関の制御装置を示すブロック構成図で、本発明をデュアル噴射式エンジンに適用した場合を示している。
【図５】本発明の第３の実施形態に係る車両用内燃機関の制御装置における触媒急速暖機時の運転パラメータの補正を実行する制御プログラムのフローチャートである。
【符号の説明】
【００９６】
１  エンジン
１ａ  気筒
２  ピストン
３  燃焼室
４  吸気弁
５  排気弁
６  点火プラグ
７  吸気管
８  電子制御式スロットルバルブ
８ａ  スロットルバルブ
８ｂ  ＩＳＣバルブ（アイドル回転数制御バルブ）
９  サージタンク
１１  筒内噴射用インジェクタ
１２  デリバリパイプ
１５  燃料タンク
１６  燃料ポンプ
１８  排気管
１９  触媒コンバータ
３０  エンジンＥＣＵ（制御手段）
３１  ＣＰＵ
３２  ＲＯＭ
３３  ＲＡＭ
３４  Ｂ−ＲＡＭ
３５  入力インターフェース回路
３６  出力インターフェース回路
３７  キースイッチ
４１  エアフローメータ
４２  クランク角センサ
４３  上側クラッチスイッチ
４４  下側クラッチスイッチ
４５  水温センサ
５０  クラッチ
５１  クラッチペダル
６０  変速装置
６１  シフトレバー
７１  触媒急速暖機判定手段
７２  目標アイドル回転数設定手段
７３  回転偏差算出手段
７４  触媒急速暖機時補正量算出手段
７５  半クラッチ状態検出手段
７６  アイドル判定手段
７７  触媒急速暖機後補正量算出手段
７８  点火時期／吸入空気量制御手段
７９  目標点火時期／吸入空気量設定手段
９１  ポート噴射用インジェクタ
９２  燃料ポンプ
９３  プレッシャレギュレータ
９６  高圧燃料ポンプ
９７  逆止弁
９８  電磁スピル弁
１０１  エンジン
１０２  デリバリパイプ
【図１】
0005018311.tif 000002
【図２】
0005018311.tif 000003
【図３】
0005018311.tif 000004
【図４】
0005018311.tif 000005
【図５】
0005018311.tif 000006